(57)【特許請求の範囲】
【請求項１】
側面に連結金具を有する支柱部材と水平方向のつなぎ材から組み立てられる枠形状の垂直面を適宜間隔で平行に複数個立設し、垂直面間で対向する支柱部材の間をブレース材で連結することによって、枠形状の垂直面とブレース材からなる枠組を構築し、対向するつなぎ材の間に１枚または複数枚の床付き布枠を水平に架け渡してなる仮設足場であって、垂直面内のつなぎ材が水平部材とこの水平部材を斜め下方から支える２本の方杖からなる方杖付きつなぎ材であり、かつ、この水平部材の両端部にはその両端部を回転軸として方杖付きつなぎ材が回転自在である掛止手段を設けるとともに、方杖の下端部にはクサビ金具による緊結手段を設けたことを特徴とする仮設足場。
【請求項２】
垂直面間で対向する支柱部材の間にさらに手摺部材を取り付けることを特徴とする、請求項１に記載の仮設足場。
【請求項３】
垂直面間で対向する支柱部材の間を連結するブレース材として、手摺部材と一体化されたブレース一体型手摺枠を用いることを特徴とする、請求項１に記載の仮設足場。
【請求項４】
側面に連結金具を有する支柱部材と水平方向の第一のつなぎ材から組み立てられる枠形状の垂直面を適宜間隔で平行に複数個立設し、垂直面間で対向する支柱部材の間を水平方向の第二のつなぎ材で連結することによって枠形状の垂直面とつなぎ材からなる枠組を構築し、垂直面間で対向する第一のつなぎ材の間に１枚または複数枚の床付き布枠を水平に架け渡してなる仮設足場であって、垂直面内の第一のつなぎ材が水平部材とこの水平部材を斜め下方から支える２本の方杖からなる方杖付きつなぎ材であり、かつ、この水平部材の両端部にはその両端部を回転軸として方杖付きつなぎ材が回転自在である掛止手段を設けるとともに、方杖の下端部にはクサビ金具による緊結手段を設けたことを特徴とする仮設足場。
【請求項５】
垂直面間で対向する支柱部材の間にさらに手摺部材を取り付けることを特徴とする、請求項４に記載の仮設足場。
【請求項６】
垂直面間で対向する支柱部材の間を連結する第二のつなぎ材として、先行手摺枠を接合してなる先行手摺枠一体型つなぎ材を用いることを特徴とする、請求項４に記載の仮設足場。
【請求項７】
垂直面内の方杖付つなぎ材の水平部材の両端部の少なくとも一方には、掛止手段として下向きの切り欠き部を有する端部板を設けたことを特徴とする、請求項１から６までのいずれかに記載の仮設足場。
【請求項８】
垂直面内の方杖付つなぎ材の水平部材の端部板の下向きの切り欠き部の幅が、連結すべき支柱部材の側面に設けられたボタンピンのボタン部の外径より小さくかつボタンピンの取付軸の外径より大きいことを特徴とする、請求項７に記載の仮設足場。
【請求項９】
垂直面内の方杖付つなぎ材の水平部材の端部の下部には、連結すべき支柱部材の側面に設けられたボタンピンのボタン部を収容できるだけの開口部を有することを特徴とする、請求項８に記載の仮設足場。
【請求項１０】
垂直面内の方杖付つなぎ材の水平部材の両端部の少なくとも一方には、掛止手段としてボタンピンが設けられていることを特徴とする、請求項１から６までのいずれかに記載の仮設足場。
【請求項１１】
垂直面内の方杖付つなぎ材の水平部材の端部板のボタンピンが、連結すべき支柱部材の側面に設けられた上向きの切り欠き部の幅よりも大きい外径を有するボタン部と、この切り欠き部の幅よりも小さい外径を有する取付軸からなることを特徴とする、請求項１０に記載の仮設足場。
【請求項１２】
垂直面内の方杖付つなぎ材の水平部材の両端部の少なくとも一方には、掛止手段として、水平部材の外径よりも大きい外径を有する円形の端部板が設けられていることを特徴とする、請求項１から６までのいずれかに記載の仮設足場。
【請求項１３】
垂直面内の方杖付つなぎ材の水平部材の円形の端部板が、連結すべき支柱部材の側面に設けられた上向きの切り欠き部の幅よりも大きい外径を有することを特徴とする、請求項１２に記載の仮設足場。
【請求項１４】
垂直面内の方杖付つなぎ材の方杖の下端部に設けるクサビ金具が、連結すべき支柱部材の側面に設けられた連結金具を上下から挟んで内抱できる形状を有することを特徴とする、請求項１から１３までのいずれかに記載の仮設足場。
【請求項１５】
垂直面内の方杖付つなぎ材の方杖の下端部に設けるクサビ金具がＣ字形状を有することを特徴とする、請求項１から１４までのいずれかに記載の仮設足場。
【請求項１６】
請求項１から１５までのいずれかに記載の仮設足場であって、足場の妻面に用いられる垂直面内に設置される方杖付つなぎ材は、先行手摺枠を接合して一体化された先行手摺枠一体型方杖付つなぎ材であることを特徴とする仮設足場。
【発明の詳細な説明】
【技術分野】
【０００１】
本発明は、建築現場や土木現場等の工事現場において、屋内外で用いられる仮設足場に関する。
【背景技術】
【０００２】
工事現場における仮設足場には、ビルや住宅の施行時などに用いられる枠組足場やくさび緊結式足場などがあり、また、緊結構造物からなるシステム支保工（型枠支保工ともいう。）なども仮設足場の一態様である。
【０００３】
枠組足場は、縦柱（建地材ともいう。）と横桟（横地材ともいう。）から構成されるＨ形状や鳥居形状等の建枠を適宜間隔で並行に複数個立設し、建枠間で対向する縦柱の間をブレース材で連結することによって、建枠とブレース材からなる枠組を構築した後、建枠間で対向する横桟の間に床付き布枠（布板ともいう。）が架け渡されてなる１段または複数段の足場であって、作業床、通路、ステージなどとして使用される。なお、ブレース材は１段ごとに連結してもよいし、複数段分を一度に連結してもよい。ここで、縦柱、横桟、ブレース材などには、鋼製やアルミニウム製などの管が用いられることが多い。
【０００４】
次に、くさび緊結式足場は、コマ等の連結金具を側面に有する支柱部材と水平方向のつなぎ材（短尺のつなぎ材のことを特に腕木材ということがある。）から組み立てられる枠形状の垂直面を適宜間隔で平行に複数個立設し、垂直面間で対向する支柱部材の間をブレース材で連結することによって、枠形状の垂直面とブレース材からなる枠組を構築した後、垂直面間で対向するつなぎ材の間に床付き布枠が架け渡されてなる１段または複数段の足場であって、作業床、通路、ステージなどとして使用される。なお、ブレース材は１段ごとに連結してもよいし、複数段分を一度に連結してもよい。ここで、支柱部材、つなぎ材、ブレース材などには、鋼製やアルミニウム製などの管が用いられることが多い。
【０００５】
なお、くさび緊結式足場は、支柱部材と水平方向のつなぎ材から組み立てられる枠形状の垂直面間で対向する支柱部材の間をブレース材で連結する代わりに、垂直面間で対向する支柱部材の間を別の水平方向のつなぎ材で連結することによって、枠形状の垂直面とつなぎ材からなる枠組を構築することもできる。すなわち、枠形状の垂直面内に位置する第一のつなぎ材と、枠形状の垂直面間を連結する第二のつなぎ材の２種類を用いて、それらの設置方向を直交させることで枠組を構築することもできる。ここで、垂直面内の水平方向の第一のつなぎ材の長さと、垂直面間を水平方向に連結する第二のつなぎ材の長さは、それぞれの支柱部材間の水平距離に依存する。したがって、長短２種のつなぎ材が用いられる場合と、同じ長さのつなぎ材が用いられる場合とがある。
【０００６】
さらに、くさび緊結式足場は、支柱部材と水平方向のつなぎ材から組み立てられる枠形状の垂直面間で対向する支柱部材の間をブレース材で連結することに加えて、垂直面間で対向する支柱部材の間を別の水平方向のつなぎ材で連結することによって、枠形状の垂直面とつなぎ材とブレース材からなる枠組を構築することもできる。すなわち、枠形状の垂直面内に位置する第一のつなぎ材と、枠形状の垂直面間を連結する第二のつなぎ材の２種類を用いて、それらの設置方向を直交させることで枠組を構築した上で、さらにブレース材によって枠組の連結を強化することができる。上記と同じ理由で、長短２種のつなぎ材が用いられる場合と、同じ長さのつなぎ材が用いられる場合とがある。
【０００７】
次に、システム支保工は、コンクリート構造物等を施工する際によく用いられる足場である。地上又は床面から組み立てられる枠組であって、これに床付き布枠を適宜架け渡すことで足場として使用される。すなわち、側面に連結金具を有する支柱部材と水平方向のつなぎ材から組み立てられる枠形状の垂直面を適宜間隔で平行に複数個立設し、垂直面間で対向する支柱部材の間を別の水平方向のつなぎ材で連結することによって枠形状の垂直面とつなぎ材からなる枠組であって、枠形状の垂直面間で対向するつなぎ材の間に１枚または複数枚の床付き布枠を水平に架け渡すことで、作業床、通路、ステージなどとして使用される仮設足場となる。すなわち、枠形状の垂直面内に位置する第一のつなぎ材と、枠形状の垂直面間を連結する第二のつなぎ材の２種類を用いて、それらの設置方向を直交させることで枠組を構築している。ここで、垂直面内の水平方向の第一のつなぎ材の長さと、垂直面間を水平方向に連結する第二のつなぎ材の長さは、それぞれの支柱部材間の水平距離に依存する。したがって、長短２種のつなぎ材が用いられる場合と、同じ長さのつなぎ材が用いられる場合とがある。
【０００８】
なお、システム支保工は、支柱部材と水平方向の第一のつなぎ材から組み立てられる枠形状の垂直面間で対向する支柱部材の間を第二のつなぎ材で連結することに加えて、垂直面間で対向する支柱部材の間をブレース材で連結することによって、枠形状の垂直面とつなぎ材とブレース材からなる枠組を構築することもできる。すなわち、枠形状の垂直面内に位置する第一のつなぎ材と、枠形状の垂直面間を連結する第二のつなぎ材の２種類を用いて、それらの設置方向を直交させることで枠組を構築した上で、さらにブレース材によって枠組の連結を強化するものである。上記と同じ理由で、長短２種のつなぎ材が用いられる場合と、同じ長さのつなぎ材が用いられる場合とがある。なお、ブレース材は１段ごとに連結してもよいし、複数段分を一度に連結してもよい。ここで、支柱部材、つなぎ材、ブレース材などには、鋼製やアルミニウム製などの管が用いられることが多い。
【０００９】
したがって、システム支保工の構造は、支柱部材と水平方向の第一のつなぎ材から組み立てられる枠形状の垂直面間で、対向する支柱部材の間を第二のつなぎ材で連結することによって枠形状の垂直面とつなぎ材からなる枠組を構築したときのくさび緊結式足場の構造と実質的に同じである。
【００１０】
以上のようにして、１段又は２段以上の段数からなる仮設足場が組み立てられる。そして、その段数は、架け渡される床付き布枠の段数で数えることができ、組み立てられる仮設足場の高さに依存して決定される。なお、複数段の床付き布枠を有する仮設足場を組み立てる際には、一段ずつ枠組を組み立ててもよいし、複数段の枠組を一挙に組み立ててもよい。
【００１１】
たとえば、くさび緊結式足場またはシステム支保工においては、側面に連結金具を有する支柱部材の間を水平方向のつなぎ材で連結することによって組み立てられる枠形状の垂直面を適宜間隔で平行に複数個立設し、垂直面間で対向する支柱部材の間を水平方向のつなぎ材で連結するときに、つなぎ材を同一平面上でのみ連結することによって一段の枠組を構築した後、垂直面間で対向するつなぎ材の間に１枚または複数枚の床付き布枠を水平に架け渡して一段の足場を形成し、その後、この足場を構成する支柱部材の上に別途用意した支柱部材を継ぎ足し、同様の操作を繰り返すことによって、次の段の足場を順次組み立てることができる。
【００１２】
あるいは、側面に連結金具を有する支柱部材を予め縦に連結してなる支柱と水平方向の複数本のつなぎ材から組み立てられる複数枠形状の垂直面を適宜間隔で平行に複数個立設し、垂直面間で対向する支柱部材の間を水平方向のつなぎ材で複数個所連結することによって、複数枠形状の垂直面と水平方向のつなぎ材からなる複数段分の枠組を構築した後、垂直面間でそれぞれの対向するつなぎ材の間に水平に１枚または複数枚の床付き布枠を複数段架け渡すことで、一挙に複数段の仮設足場を形成することができる。
【００１３】
なお、くさび緊結式足場またはシステム支保工において、支柱部材の側面に設けられる連結金具としては、支柱部材の側面に複数個設けられるコマや、支柱部材の側面に環状に設けられるフランジ等を用いることができる。そして、つなぎ部材の端部に設けられるクサビ金具をコマやフランジなどの連結金具に取り付け、クサビで緊結することができる。
【００１４】
図１に、くさび緊結式足場の一例を示す。(a)はくさび緊結式足場の正面図、(b)は(a)において円で示されたコマの周辺の拡大図、そして、(c)はくさび緊結式足場の右側面図である。
【００１５】
ここでは、くさび緊結式足場の支柱１が建物１４の側とその反対側に各３本が立設されている。各々の支柱１は、複数のコマ４を側面に有する支柱部材３をホゾ材（図示せず。）を介して縦方向に継ぎ足すことによって形成されている。建物側およびその反対側の支柱１の間には、コマ４を介してつなぎ材２が上下に各１本水平方向に連結され、クサビ（図示せず）で緊結されることで、枠形状の垂直面が組み立てられている。また、垂直面間には、建物とは反対側で対向する支柱部材３の間に、コマ４を介してブレース材２１が斜めに取り付けられてクサビ（図示せず）で緊結されて、枠形状の垂直面とブレース材からなる枠組が構築される。ここでは、作業員の安全確保のために、さらに、同じ支柱部材３の間にコマ４を介して手摺部材２０が取り付けられてクサビで緊結されている。その後、対向するつなぎ材２の間に、それぞれ床付き布枠９を１枚又は平行して２枚以上架け渡すことで、１段目の足場が形成される。なお、建物側にもブレース材や手摺材を設置してもよい。
【００１６】
２段目の足場は、必要に応じて、１段目の足場と同様にして形成される。１段目の足場の支柱部材３の上端に別途用意した支柱部材３をホゾ材（図示せず。）を介して縦方向に継ぎ足した上で、つなぎ材２、ブレース材２１、手摺部材２０の足場構成部材をコマ４を介して取り付け、そして、コマ４においてクサビ（図示せず）によってこれらの足場構成部材を緊結した後、対向するつなぎ材２の間に、それぞれ床付き布枠９を１枚又は平行して２枚以上架け渡すことによって、２段目の足場が形成される。これを順次繰り返すことによって、複数段の足場が組み立てられる。
【００１７】
図２は、システム支保工の一例を示す正面図であり、図３は図２のシステム支保工の右側面図である。また、図４は、図３のＡ−Ａ線断面平面図である。
【００１８】
この例では、このシステム支保工１００は、コンクリート構造物（スラブ）１０１の上部の型枠１０２の下面を支えるように、地上から数ｍ〜十数ｍの高さで設置されている。
【００１９】
このシステム支保工１００は、所定の間隔で複数の支柱１を行列状に配置し、そして、隣接する支柱１の間を複数のつなぎ材２で水平２方向に連結することによって構築される枠組であって、これに床付き布枠を適宜架け渡すことで足場として使用される。すなわち、複数のコマ４を側面に有する支柱部材３をホゾ材（図示せず。）を介して縦方向に継ぎ足すことによって形成された各支柱１の間を、水平方向の第一のつなぎ材２で連結することによって組み立てられる垂直面と、これらの垂直面の間を第一のつなぎ材２とは直交する方向に設置される第二のつなぎ材２で水平方向に複数個所連結することによって枠組が構築される。各支柱１の下端は、ジャッキベース５によって支持されている。各支柱１の上端には、大引受ジャッキ６が取り付けられ、大引受ジャッキ６上に複数の大引材７が載置されている。また、複数の大引材７に直交するように、複数の大引材７上に複数の根太材８が載置され、複数の根太材８上に型枠１０２が載置されている。なお、適宜、ブレース材や手摺材を支柱１の間に設置してもよい。
【００２０】
各支柱１の側面には、所定の間隔で４つのコマ４が十字状に形成されている（図４参照）。つなぎ材２は、つなぎ材２の両端部に接合されたクサビ金具を介してコマ４に連結され、クサビ２ａによって緊結されている。なお、ここでは、各支柱部材３の中央部のコマ４にはつなぎ材２が取り付けられていないが、各支柱部材３の中央部のコマ４にもつなぎ材２を取り付けてもよい。
【００２１】
そして、図４に示すように、対向するつなぎ材２の間に床付き布枠９を水平に架け渡す。同様にして、他の対向するつなぎ材２の間にも床付き布枠９を水平に架け渡すことで、適宜必要な個所に作業床、通路、ステージなどとして使用する足場を形成することができる。ここでは、対向する第一のつなぎ材２の間に、それぞれ１枚の床付き布枠９が水平に架け渡されることによって１つの足場が形成されていて、作業床、通路又はステージとして使用される。
【００２２】
このように、くさび緊結式足場とシステム支保工においては、コマ等の連結金具を側面に設けた支柱部材が用いられ、支柱部材間をつなぎ材で水平方向に連結することができる。
【００２３】
ここで用いられるつなぎ材は、鋼製やアルミニウム製などの管の両端にクサビ金具を溶接等で接合したものであって、このクサビ金具を支柱部材のコマ等の連結金具に引っ掛けた後に、クサビによって緊結することで、支柱部材に固定して用いることができる。
【００２４】
図５は、くさび緊結式足場やシステム支保工で用いられるつなぎ材の一例（従来例）の正面図である。
【００２５】
このつなぎ材２は、鋼製やアルミニウム製などの管からなる水平部材３１の両端にクサビ金具２ｂを溶接等によって接合したものであって、その全長は支柱部材３の間の間隔に合わせてある。つなぎ材２のクサビ金具２ｂを支柱部材３の側面に設けられたコマ４等の連結金具に引っ掛けた後に、クサビ２ａによって緊結することによって、支柱部材３の間を連結固定することができる。
【００２６】
このつなぎ材に関しては、つなぎ材自体の強度を増すために、あるいはさらに、つなぎ材を支柱部材に対して強固に連結するために、つなぎ材の下部から支柱に向けて、斜めに方杖を設けることが提案されている（特許文献１および特許文献２参照）。
【００２７】
図６は、特許文献１に開示された方杖付つなぎ材の一例（従来例）の正面図である。
【００２８】
この方杖付つなぎ材３０は、鋼製やアルミニウム製などの管からなる水平部材３１の両端にクサビ金具２ｂを溶接等によって接合したことに加えて、つなぎ材自体の強度を増すために、水平部材３１を斜め下方から支える２本の方杖３２が設けられている。それぞれの方杖３２の下端部は、支柱部材３の外径とほぼ同じ内径を有する半円筒状の縦型プレート３３を有していて、この縦型プレート３３が支柱部材３の側面に押し当てられている。また、方杖付つなぎ材３０の変形を防止するために、水平部材３１の左右の端部近傍から、各１本の束材３４が垂直に設置され、それぞれの方杖３２との間を結ぶことによってそれぞれの方杖３２を上方から支持している。このつなぎ材の水平部材３１の両端に接合されたクサビ金具２ｂを、それぞれ支柱部材３の側面に設けられたコマ４等の連結金具に引っ掛けた後に、クサビ２ａによって緊結することによって、支柱部材４間を連結固定することができる。
【００２９】
図７は、特許文献２に開示された方杖付つなぎ材の一例（従来例）の正面図である。
【００３０】
この方杖付つなぎ材３０は、鋼製やアルミニウム製などの管からなる水平部材３１の両端にクサビ金具２ｂを溶接等によって接合したことに加えて、水平部材３１を下方斜めから支える２本の方杖３２が設けられている。また、それぞれの方杖３２の下端部にも、クサビ金具３０ｂが溶接等によって接合されている。さらに、方杖付つなぎ材３１の変形を防止するために、水平部材３１の左右の端部近傍から、各１本の束材３４が垂直に設置され、それぞれの方杖３２との間を結ぶことによってそれぞれの方杖３２を上方から支持している。このつなぎ材の水平部材３１の両端に接合されたクサビ金具２ｂを支柱部材３の側面に設けられたコマ４等の連結金具に引っ掛けた後に、クサビ２ａによって緊結し、さらに、それぞれの方杖３２の下端部に設けられたクサビ金具３０ｂを支柱部材３の側面に設けられたコマ４等の連結金具に引っ掛けた後に、クサビ３０ａによって緊結することによって、つなぎ材を支柱部材３に対して強固に連結固定することができる。
【００３１】
このように、鋼製やアルミニウム製などの管からなる水平部材の両端にクサビ金具を溶接等によって接合したつなぎ材に方杖を設けることによって、つなぎ材自体の強度を増すことができる。特に、方杖の下端部にもクサビ金具を接合してなる方杖付つなぎ材は、クサビによる緊結効果が大きいことから、つなぎ材を支柱に対して強固に連結固定することができる。
【先行技術文献】
【特許文献】
【００３２】
【特許文献１】特開平０６−２８０３８２号公報
【特許文献２】特開平０６−２９９６９１号公報
【発明の概要】
【発明が解決しようとする課題】
【００３３】
しかしながら、これらの方杖付つなぎ材を組み立てる際には、左右の端部に設けられた２個所又は４個所のクサビ金具を支柱部材の側面の連結金具にクサビによって緊結するという作業が必要であるが、特に水平部材の両端に接合されたクサビ部は高所に存在するため、作業員の手が届きにくいのでクサビによる緊結作業がしづらいという問題がある。また、左右の方杖の下端部にもクサビ金具を接合してなる方杖付つなぎ材では、クサビ金具が４個所も存在するため、クサビによる緊結作業の手間がかかるという問題がある。
【００３４】
図８および図９は、図７に示される方杖付つなぎ材を支柱部材間に取り付ける際のクサビによる緊結作業の例である。
【００３５】
この方杖付つなぎ材３０においては、水平部材３１の両端に接合されたクサビ金具２ｂは高所に存在するため、クサビ２ａによる緊結作業時に作業員の手が届きにくいので、ハンマー３６でクサビ２ａを打ち込む緊結作業がしづらいだけでなく、クサビ金具２ｂ、３０ｂが計４個所も存在するため、ハンマー３６でクサビ２ａ、３０ａを打ち込む緊結作業の手間がかかるという問題があることが分かる。
【００３６】
本発明は、上記のような問題を解決するためになされたものであって、支柱部材との連結作業を容易にするとともに軽減することができ、かつ、支柱部材に対して強固に連結することができるつなぎ材を組み込んでなる仮設足場を提供することを目的とする。
【課題を解決するための手段】
【００３７】
本発明者らは、上記のような問題点を解決するために種々の検討を重ねた。その結果、次の(a)〜(h)に示す知見を得た。
【００３８】
(a) 仮設足場のうち、枠組足場は縦柱と横桟が一体となったＨ形状や鳥居形状等の建枠を用いるため、その分重量があり嵩張るので、運搬性が悪いという問題点を有する。また、後述するように、建物のコーナー部に当たる場所に設置される足場については、作業床や通路の前または後ろに妻面が形成されるが、枠組足場はコーナー部では枠組を連続的に組むことができず、隙間が生じるので、作業員の安全面での問題点も有する。
【００３９】
これに対して、くさび緊結式足場やシステム支保工では、支柱部材とつなぎ材が別部材となっており、現場で組み立てることができる。そして、軽量であり嵩張ることもないので、運搬性がよい。ただし、支柱部材とつなぎ材の連結部分は一体ではないので、その強度を上げる必要がある。支柱部材に対して強固に連結することができるつなぎ材としては、鋼製やアルミニウム製などの管からなる水平部材と、水平部材を斜め下方から支える２本の方杖とからなる基本的な構成を採用し、水平部材の両端部と２本の方杖の下端部の計４個所において、左右の支柱部材に強固に連結できる構造とするのがよい。したがって、支柱部材に強固に連結するためには、図６に示されるように、単に半円筒状の縦型プレートを設けて、この縦型プレートを支柱の側面に押し当てるだけの構造とするのではなく、図７に示されるように、２本の方杖の下端部にもクサビ金具を設けて、４個所ともクサビで緊結することができる構造とするのが好ましい。しかしながら、図７に示される方杖付つなぎ材は、上述したとおり、水平部材の両端に接合されたクサビ金具は高所に存在するため、クサビによる緊結作業時に作業員の手が届きにくいのでクサビによる緊結作業がしづらいだけでなく、クサビ金具が計４個所も存在するため、クサビによる緊結作業の手間がかかるという問題がある。
【００４０】
(b) 本発明者等は、４個所ともクサビで緊結しなくても、方杖付つなぎ材を支柱部材に強固に連結することができる方式を検討した。その結果、方杖付つなぎ材の水平部材の両端部の左右２個所と左右２本の方杖の下端部の計４個所の全部をクサビで緊結する代わりに、水平部材の両端部の２個所においてはクサビでの緊結に代えて支柱部材への掛止によっても、方杖付つなぎ材を左右の支柱部材に強固に連結することができることに思い至った。
【００４１】
すなわち、方杖付つなぎ材の４個所の連結手段のうち、高所に存在する水平部材の両端部の左右２個所についてはクサビで緊結する代わりに、支柱部材への掛止によって連結し、他方、左右の方杖の下端部の２個所についてはそのままクサビを用いて緊結するのである。ここで、水平部材の端部と支柱部材との間の掛止方式としては、たとえば、ボタンピンとそのボタンピンに掛止できる形状を有する切欠き部の組み合わせを挙げることができる。ボタンピンはボタン部（大径）と取付軸（小径）から構成されるから、上記切り欠き部の幅をボタン部の外径より小さくかつ取付軸の外径より大きくすれば、水平部材の端部を支柱部材に掛止することができるし、掛止後に水平部材の端部が支柱部材から外れにくくなる。なお、ボタンピンは支柱部材の側面か水平部材の端部のいずれかに設けることになるが、その接合手段としては、溶接やネジなどを採用することができる。
【００４２】
このような掛止構造とすれば、クサビ緊結のためのクサビ金具は左右の方杖の下端部の２個所だけへと半減することができる上に、水平部材の両端の左右２個所での高所でのクサビ打ち作業は不要となる。したがって、クサビによる緊結作業を容易にするとともに軽減することができる。
【００４３】
(c) 水平部材の端部と支柱部材との間の掛止手段として、ボタンピンとそのボタンピンに掛止できる形状を有する切欠き部の組み合わせを採用した場合、ボタンピンとそのボタンピンに掛止できる形状を有する切欠き部の組み合わせは、具体的には、次の(i)または(ii)となる。
【００４４】
(i)支柱部材の側面にボタンピンを設け、他方、水平部材の端部に下向きの切り欠き部を有する端部板を設け、上方から水平部材の端部を下方に移動させることによって、このボタンピンに下向きの切り欠き部を嵌める。なお、ボタン部とその取付軸からなるボタンピンの場合には、この端部板に設けられる下向きの切り欠き部の幅は、その取付軸の外径より大きくかつボタン部の外径よりも小さくする。ここで、ボタン部も取付軸と同時に移動させる必要があるため、端部板の下方または水平部材の端部の下方には、ボタン部が収容できるだけの開口部を設ける。なお、ボタンピンは支柱部材の側面に溶接やネジなどによって接合することができることは上述したとおりである。接合作業の手間を考えると、ブラインドナットなどのネジによって接合するのが好ましい。また、支柱部材の側面に掛止する水平部材は１方向とは限らず、支柱部材の側面の円周上の２〜４方向となる場合もあるが、このとき支柱部材の側面の円周上へのボタンピンの設置個数は１〜４個となる。複数個のボタンピンを支柱部材の側面の円周上にネジによって接合するときは、ブラインドナットを用いるのが好ましい。
【００４５】
(ii)支柱部材の側面に上向きの切り欠き部を設け、他方、水平部材の端部にボタンピンを設け、上方から水平部材の端部を下方に移動させることによって、このボタンピンを上向きの切欠き部に嵌める。ここで、支柱部材の側面に設ける上向きの切り欠き部の幅は、ボタンピンの取付軸の外径より大きくかつボタン部の外径よりも小さくする。なお、上向きの切り欠き部は、支柱の側面に薄幅のコマを取り付け、この薄幅のコマの前面壁に上向きの切り欠き部を設ければよい。ここで、この薄幅のコマは底面が欠けた形状でもよい。なお、ボタンピンは水平部材の端部に溶接やネジなどによって接合することができることは上述したとおりである。接合作業の手間を考えると、ブラインドナットなどのネジによって接合するのが好ましい。
【００４６】
この結果、上記(i)のように、上方から水平部材の端部を下方に移動させて、支柱部材の側面に設けられるボタンピンに、水平部材の端部に設けた端部板の下向きの切り欠き部を掛止することによって、水平部材の端部と支柱部材を連結したときに、水平部材の端部を上方に移動させない限り、その連結が外れることはない。換言すると、水平部材は方杖付つなぎ材の一部であるから、方杖付つなぎ材を上方に移動させない限り、その連結が外れることはない。なお、水平部材の端部は、支柱部材の側面に設けられるボタンピンを回転軸として回転自在となるから、必ずしも水平部材の端部を上方から移動させる必要はなく、側方からあるいは下方から移動させても、水平部材の端部をボタンピンに掛止することができる。
【００４７】
また、上記(ii)のように、上方から水平部材の端部を下方に移動させて、水平部材の端部に設けられるボタンピンを、支柱部材の側面に設けられる上向きの切欠き部に掛止することによって、水平部材の端部と支柱部材を連結したときにも、水平部材の端部を上方に移動させない限り、その連結が外れることはない。換言すると、水平部材は方杖付つなぎ材の一部であるから、方杖付つなぎ材を上方に移動させない限り、その連結が外れることはない。なお、水平部材の端部は、支柱部材の側面に設けられる上向きの切欠き部を回転軸として回転自在となるから、必ずしも水平部材の端部を上方から移動させる必要はなく、側方からあるいは下方から移動させても、水平部材の端部をボタンピンに掛止することができる。
【００４８】
さらに、方杖付つなぎ材の左右の方杖の下端部に設けるクサビ金具は、支柱部材のコマやフランジなどの連結金具を上下から挟んで内抱できる形状、例えば正面から見てＣ字形状を有するのが好ましい。クサビ金具がこのような形状を有する場合には、方杖付つなぎ材を支柱部材に一旦連結すれば、方杖付つなぎ材が上下方向に移動しようとしても、支柱部材の連結金具にぶつかるので、方杖付つなぎ材が支柱部材から外れることを防止できる。
【００４９】
(d) 上記(ii)の変形例として、掛止手段として水平部材の端部にボタンピンを設ける代わりに、水平部材の外径よりも大きい外径を有する円形の端部板を設けてもよい。すなわち、支柱部材の側面に円形の端部板の外径よりは小さい幅の上向きの切り欠き部を設け、ここに上方から水平部材の端部に設けられた円形の端部板を下方に移動させることによって、このボタンピンを上向きの切欠き部に嵌める。
【００５０】
このように、上方から水平部材の端部板を下方に移動させて、水平部材の端部に設けられる円形の端部板を、支柱部材の側面に設けられる上向きの切欠き部に掛止することによって、水平部材の端部に設けられた円形の端部板と支柱部材を連結したときにも、水平部材の端部を上方に移動させない限り、その連結が外れることはない。換言すると、水平部材は方杖付つなぎ材の一部であるから、方杖付つなぎ材を上方に移動させない限り、その連結が外れることはない。なお、水平部材の端部は、支柱部材の側面に設けられる上向きの切欠き部を回転軸として回転自在となるから、必ずしも水平部材の端部を上方から移動させる必要はなく、側方からあるいは下方から移動させても、水平部材の端部をボタンピンに掛止することができる。
【００５１】
(e) 上述したとおり、水平部材の端部は、支柱部材の側面に設けられるボタンピン又は上向きの切り欠き部を回転軸として回転自在となる。すなわち、方杖付つなぎ材は、支柱部材の側面に設けられるボタンピン又は上向きの切り欠き部を回転軸として回転自在となる。したがって、水平部材の端部と支柱部材を連結した後に、方杖の下端に設けられたクサビ金具を支柱部材の連結金具にクサビで緊結する際に、方杖の下端のクサビ金具と支柱部材の連結金具の位置合わせを容易にすることができる。
【００５２】
(f) 次に、くさび緊結式足場やシステム支保工においては、作業床、通路、ステージなどからの作業員の転落防止のために、垂直面間で対向する支柱部材の間にさらに手摺部材を設けることができる。この手摺部材は、足場を組み立てる際に、床付き布枠を架け渡した後にその床付き布枠上から作業員が支柱部材の間に連結金具を介して手摺部材を取り付けることもできるが、作業員の安全面を考慮すると、先行して取り付けることのできる先行手摺部材を用いるのが好ましい。先行手摺部材を用いると、床付き布枠が水平に架け渡されて作業床、通路、ステージなどに利用されるときには、その足場の両側には手摺部材がすでに設置されているからである。先行手摺部材は、足場を組み立てる際には作業員が下段の足場から上段の手摺部材を先行して取り付けたのち上方に回転し固定することができ、逆に足場を解体する際には作業員が下段の足場から上段の手摺を下方に回転させた後取り外すことができるものである。
【００５３】
なお、いずれも床付き布枠を架け渡して足場を形成する際に、作業員の転落防止のために、垂直面間で対向する支柱部材の間を連結するブレース材として、手摺部材と一体化されたブレース一体型手摺枠を用いることも可能である。また、垂直面間で対向する支柱部材の間を連結するつなぎ材として、手摺部材をつなぎ材の回転可能な水平部材に接合してなる先行手摺枠付きつなぎ材を用いることも可能である。このとき、ブレース材に手摺枠の機能も付加することで、組立の作業効率を向上させることができる。すなわち、手摺部材と一体化されたブレース一体型手摺枠を用いれば、１枚のブレース一体型手摺枠でもって支柱部材の間を連結することができるし、ブレース材と手摺材の取り付け作業を一度で済ますことができる。
【００５４】
次に、枠形状の垂直面間で対向する支柱部材の間をつなぎ材で連結する場合には、このつなぎ材を構成する水平部材に先行手摺枠を接合して、つなぎ材に手摺枠の機能も付加することで、組立の作業効率を向上させることができる。すなわち、枠形状の垂直面間で対向する支柱部材の間を、先行手摺枠を接合してなる先行手摺枠一体型つなぎ材を用いれば、つなぎ材と手摺材の取り付け作業を一度で済ますことができる。この先行手摺枠一体型つなぎ材は、つなぎ材を構成する水平部材の軸回りに回転させることができるので、足場を組み立てる際には作業員が下段の足場から上段の手摺部材を先行して取り付けたのち上方に回転し固定することができ、逆に足場を解体する際には作業員が下段の足場から上段の手摺を下方に回転させた後取り外すことができる。
【００５５】
(g) さらに、建物のコーナー部に当たる場所に設置される足場については、作業床や通路の前または後ろに妻面が形成されるが、くさび緊結足場やシステム支保工では、コーナー部でも枠を連続的に組むことができるので、隙間は生じない。さらに、この妻面からの作業員の転落防止のために、妻面上の支柱部材の間に手摺部材を設けることができる。この場合、床付き布枠を架け渡した後にその床付き布枠上から作業員が妻面の支柱部材の間に手摺部材を取り付けることもできるが、作業員の安全面を考慮すると、先行して取り付けることのできる先行手摺部材を用いるのが好ましい。先行手摺部材を用いると、床付き布枠が水平に架け渡されて作業床や作業員の通路として利用されるときには、その足場の妻面には手摺部材がすでに設置されているからである。この場合、妻面の支柱部材間を連結するつなぎ材に先行手摺枠を組み込んでおくのが、作業効率からみて好ましい。つなぎ材として、先行手摺枠を接合して一体化された先行手摺枠一体型方杖付つなぎ材を用いるのが、より好ましい。この先行手摺枠一体型方杖付つなぎ材は、方杖付つなぎ材を構成する水平部材の軸回りに回転させることができるので、足場を組み立てる際には作業員が下段の足場から上段の手摺部材を先行して取り付けたのち上方に回転し固定することができ、逆に足場を解体する際には作業員が下段の足場から上段の手摺を下方に回転させた後取り外すことができる。
【００５６】
本発明は、上記の知見に基づいて完成したものであって、その要旨は下記の(1)〜(16)の仮設足場にある。以下、総称して本発明という。
【００５７】
(1) 側面に連結金具を有する支柱部材と水平方向のつなぎ材から組み立てられる枠形状の垂直面を適宜間隔で平行に複数個立設し、垂直面間で対向する支柱部材の間をブレース材で連結することによって、枠形状の垂直面とブレース材からなる枠組を構築し、対向するつなぎ材の間に１枚または複数枚の床付き布枠を水平に架け渡してなる仮設足場であって、垂直面内のつなぎ材が水平部材とこの水平部材を斜め下方から支える２本の方杖からなる方杖付きつなぎ材であり、かつ、この水平部材の両端部にはその両端部を回転軸として方杖付きつなぎ材が回転自在である掛止手段を設けるとともに、方杖の下端部にはクサビ金具による緊結手段を設けたことを特徴とする仮設足場。
【００５８】
(2) 垂直面間で対向する支柱部材の間にさらに手摺部材を取り付けることを特徴とする、上記(1)の仮設足場。
【００５９】
(3) 垂直面間で対向する支柱部材の間を連結するブレース材として、手摺部材と一体化されたブレース一体型手摺枠を用いることを特徴とする、上記(1)の仮設足場。
【００６０】
(4) 側面に連結金具を有する支柱部材と水平方向の第一のつなぎ材から組み立てられる枠形状の垂直面を適宜間隔で平行に複数個立設し、垂直面間で対向する支柱部材の間を水平方向の第二のつなぎ材で連結することによって枠形状の垂直面とつなぎ材からなる枠組を構築し、垂直面間で対向する第一のつなぎ材の間に１枚または複数枚の床付き布枠を水平に架け渡してなる仮設足場であって、垂直面内の第一のつなぎ材が水平部材とこの水平部材を斜め下方から支える２本の方杖からなる方杖付きつなぎ材であり、かつ、この水平部材の両端部にはその両端部を回転軸として方杖付きつなぎ材が回転自在である掛止手段を設けるとともに、方杖の下端部にはクサビ金具による緊結手段を設けたことを特徴とする仮設足場。
【００６１】
(5) 垂直面間で対向する支柱部材の間にさらに手摺部材を取り付けることを特徴とする、上記(4)の仮設足場。
【００６２】
(6) 垂直面間で対向する支柱部材の間を連結する第二のつなぎ材として、先行手摺枠を接合してなる先行手摺枠一体型つなぎ材を用いることを特徴とする、上記(4)の仮設足場。
【００６３】
(7) 垂直面内の方杖付つなぎ材の水平部材の両端部の少なくとも一方には、掛止手段として下向きの切り欠き部を有する端部板を設けたことを特徴とする、上記(1)〜(6)のいずれかの仮設足場。
【００６４】
(8) 垂直面内の方杖付つなぎ材の水平部材の端部板の下向きの切り欠き部の幅が、連結すべき支柱部材の側面に設けられたボタンピンのボタン部の外径より小さくかつボタンピンの取付軸の外径より大きいことを特徴とする、上記(7)の仮設足場。
【００６５】
(9) 垂直面内の方杖付つなぎ材の水平部材の端部の下部には、連結すべき支柱部材の側面に設けられたボタンピンのボタン部を収容できるだけの開口部を有することを特徴とする、上記(8)の仮設足場。
【００６６】
(10) 垂直面内の方杖付つなぎ材の水平部材の両端部の少なくとも一方には、掛止手段としてボタンピンが設けられていることを特徴とする、上記(1)〜(6)のいずれかの仮設足場。
【００６７】
(11) 垂直面内の方杖付つなぎ材の水平部材の端部板のボタンピンが、連結すべき支柱部材の側面に設けられた上向きの切り欠き部の幅よりも大きい外径を有するボタン部と、この切り欠き部の幅よりも小さい外径を有する取付軸からなることを特徴とする、上記(10)の仮設足場。
【００６８】
(12) 垂直面内の方杖付つなぎ材の水平部材の両端部の少なくとも一方には、掛止手段として、水平部材の外径よりも大きい外径を有する円形の端部板が設けられていることを特徴とする、上記(1)〜(6)のいずれかの仮設足場。
(13) 垂直面内の方杖付つなぎ材の水平部材の円形の端部板が、連結すべき支柱部材の側面に設けられた上向きの切り欠き部の幅よりも大きい外径を有することを特徴とする、上記(12)の仮設足場。
【００６９】
(14) 垂直面内の方杖付つなぎ材の方杖の下端部に設けるクサビ金具が、連結すべき支柱部材の側面に設けられた連結金具を上下から挟んで内抱できる形状を有することを特徴とする、上記(1)〜(13)のいずれかの仮設足場。
【００７０】
(15) 垂直面内の方杖付つなぎ材の方杖の下端部に設けるクサビ金具がＣ字形状を有することを特徴とする、上記(1)〜(14)のいずれかの仮設足場。
【００７１】
(16) 上記(1)〜(15)のいずれかの仮設足場であって、足場の妻面に用いられる垂直面内に設置される方杖付つなぎ材は、先行手摺枠を接合して一体化された先行手摺枠一体型方杖付つなぎ材であることを特徴とする仮設足場。
【発明の効果】
【００７２】
本発明によれば、支柱部材との連結作業を容易にかつ軽減でき、かつ、支柱部材に対して強固に連結することができるつなぎ材を組み込んでなる仮設足場を提供する。
【図面の簡単な説明】
【００７３】
【図１】くさび緊結式足場の構造の一例を示す。
【図２】システム支保工の一例を示す正面図である。
【図３】図２のシステム支保工の右側面図である。
【図４】図３のＡ−Ａ線断面平面図である。
【図５】くさび緊結式足場やシステム支保工で用いられるつなぎ材の一例（従来例）の正面図である。
【図６】特許文献１に開示された方杖付つなぎ材の一例（従来例）の正面図である。
【図７】特許文献２に開示された方杖付つなぎ材の一例（従来例）の正面図である。
【図８】図７に示される方杖付つなぎ材を支柱部材間に取り付ける際のクサビによる緊結作業の一例である。
【図９】図７に示される方杖付つなぎ材を支柱部材間に取り付ける際のクサビによる緊結作業の一例である。
【図１０】本発明に係る仮設足場で用いる方杖付つなぎ材の一例である。(a)は正面図である。(b)〜(d)はＡ部の拡大図であり、そのうち、(b)は左側面図、(c)は正面図、そして、(d)は底面図を表す。
【図１１】連結すべき支柱部材に設けられるボタンピンの４例であり、いずれも溶接によってボタンピンが支柱部材の側面に接合されている。(a)〜(d)の４例とも、左側に正面図を、そして右側に右側面図を示す。
【図１２】連結すべき支柱部材に設けられるボタンピンの他の例およびその接合状態の例を示す。(a)がボタンピンの正面図と右側面図、(b)が座金の断面図（正面図）と右側面図、(c)が支柱部材の側面の孔にボタンピンが接合された状態の上面図、そして、(d)が支柱部材の側面の孔にボタンピンが接合された状態の接合部の断面図（上面図）である。
【図１３】図１２に示されるボタンピンの４個を、連結すべき支柱部材の側面の円周上に接合した状態を示す。(a)が上面図、そして、(b)が断面図（上面図）である。
【図１４】図１０の方杖付つなぎ材の水平部材の端部を、図１１(a)の支柱部材側面のボタンピンに掛止する手順を示す。ここで、(a)〜(c)は正面図であり、(d)はＡ−Ａ矢視図、そして、(e)はＢ−Ｂ矢視図である。
【図１５】図１０の方杖付つなぎ材の水平部材の端部を支柱部材の側面に連結および緊結する際の手順を示す右側面図である。
【図１６】図１０の方杖付つなぎ材を支柱部材の間に取り付け際のクサビによる緊結作業の例である。
【図１７】図１０の方杖付つなぎ材を支柱部材の側面に連結した後の状態（正面図）を示す。
【図１８】本発明に係る仮設足場の一例であって、図１０の方杖付つなぎ材を組み込んでなる仮設足場の斜視図である。
【図１９】本発明に係る仮設足場で用いる方杖付つなぎ材の他の例である。(a)は正面図である。(b)〜(d)はＡ部の拡大図であり、そのうち、(b)は左側面図、(c)は正面図、そして、(d)は底面図を表す。
【図２０】図１９の方杖付つなぎ材３０を支柱部材３の側面に連結した後の状態（正面図）を示す。
【図２１】本発明に係る仮設足場で用いる方杖付つなぎ材の他の例である。(a)は正面図であり、(b)はＡ部の拡大左側面図、そして、(c)はＡ部の拡大正面図である。
【図２２】連結すべき支柱部材に設けられる上向きの切り欠き部の一例である。左側に正面図を、そして右側に右側面図を示す。
【図２３】図２１の方杖付つなぎ材の水平部材の端部を、図２２の支柱部材側面の上向きの切り欠き部に掛止する手順を示す。
【図２４】本発明に係る仮設足場で用いる方杖付つなぎ材の他の例である。(a)は正面図であり、(b)はＡ部の拡大左側面図、そして、(c)は Ａ部の拡大正面図である。
【図２５】連結すべき支柱部材に設けられる上向きの切り欠き部の一例である。左側に正面図を、そして右側に右側面図を示す。
【図２６】図２４の方杖付つなぎ材の水平部材の端部を、図２５の支柱部材側面の上向きの切り欠き部に掛止する手順を示す。
【図２７】本発明に係る仮設足場で用いる先行手摺枠を接合してなる方杖付つなぎ材の１例である。(a)は足場内からみた正面図であり、(b)はＡ部の拡大図である。そして、(c)は(b)の左側面図、(d)は(b)の底面図を示す。
【図２８】本発明に係る仮設足場の一例であって、図２７の先行手摺枠を接合してなる方杖付つなぎ材を足場の妻面に組み込んだものである。(a)は足場の平面図、(b)は(a)のＡ−Ａ矢視正面図、(c)は(a)のＢ−Ｂ矢視左側面図、そして、(d)は(a)のＣ−Ｃ矢視背面図である。
【発明を実施するための形態】
【００７４】
以下、本発明に係る仮設足場について、実施例に基づいて説明する。なお、本発明は実施例に限定されるものではない。
【実施例１】
【００７５】
図１０は、本発明に係る仮設足場で用いる方杖付つなぎ材の一例である。(a)は正面図である。(b)〜(d)はＡ部の拡大図であり、そのうち、(b)は左側面図、(c)は正面図、そして、(d)は底面図を表す。
【００７６】
この方杖付つなぎ材３０は、鋼製やアルミニウム製などの管からなる水平部材３１と、この水平部材３１を斜め下方から支える２本の方杖３２とからなる。水平部材３１の端部のそれぞれには、下向きの切り欠き部４０ａを有する端部板４０が溶接等で接合されるとともに、水平部材３１の端部の下部には開口部３１ａが設けられており、水平部材３１の端部を支柱部材に掛止することによって、水平部材３１の端部を支柱部材に連結することができる。一方、方杖３２の下端にはクサビ金具３０ｂが溶接等によって接合されて設けられており、このクサビ金具３０ｂを支柱部材の側面に設けられたコマ等の連結金具に引っ掛けた後に、クサビ３０ａを打ち込むことによって、この方杖３２の下端を支柱部材に緊結することができる。ここで、方杖３２の下端に設けるクサビ金具３０ｂは、正面から見てＣ字形状を有しているので、クサビ金具３０ｂが支柱部材の側面に設けられたコマ等の連結金具を上下から挟んで内抱できる。したがって、方杖付つなぎ材３０を支柱部材に一旦連結すれば、方杖付つなぎ材３０が上下方向に移動しようとしても、支柱部材のコマ等の連結金具にぶつかるので、方杖付つなぎ材３０が支柱部材から外れることを防止できる。なお、方杖付つなぎ材３０の変形を防止するために、水平部材３１の左右の端部近傍から、各１本の束材３４が垂直に設置され、それぞれの方杖３２を結ぶことによってそれぞれの方杖３２を上方から支持している。
【００７７】
ここで、水平部材３１の端部に接合された端部板４０に設けられた下向きの切り欠き部４０ａの幅は、連結すべき支柱部材に設けられたボタンピンのボタン部の外径より小さくかつ取付軸の外径より大きい。これに対して、水平部材３１の端部の下部に設けられた開口部３１ａの幅は、連結すべき支柱部材に設けられたボタンピンのボタン部の外径よりも大きくかつ取付軸の外径より大きい。したがって、水平部材３１の端部を支柱部材に掛止することができるし、掛止後に水平部材３１の端部が支柱部材から外れにくくなる。
【００７８】
図１１は、連結すべき支柱部材に設けられるボタンピンの４例である。(a)〜(d)の４例とも、左側に正面図を、そして右側に右側面図を示す。
【００７９】
いずれのボタンピン４１も、大径のボタン部４１ａと小径の取付軸４１ｂから構成されていて、ボタン部４１ａを外面にして、取付軸４１ｂが支柱部材３の側面に取り付けられる。ボタンピン４１を支柱部材３の側面に取り付けるための接合手段はいずれも溶接による。なお、ボタン部４１ａの外径は、水平部材３１の端部の下部に設けられた開口部３１ａの幅より小さく、そして、水平部材３１の端部に接合された端部板４０に設けられた下向きの切り欠き部４０ａの幅より大きい。また、取付部４１ｂの外径は、水平部材３１の端部の下部に設けられた開口部３１ａの幅より小さく、そして、水平部材３１の端部に接合された端部板４０に設けられた下向きの切り欠き部４０ａの幅より小さい。
【００８０】
図１１の(a)はボタン部４１ａの背面に傾斜部を持たせて円錐台形状にしたものであり、取付軸４１ｂは円柱形状である。(b)はボタン部４１ａ、取付軸４１ｂともに円柱形状である。(c)は(b)の変形例であって、取付軸４１ｂは円柱形状の支柱固定部材４１ｃを介して支柱部材３の側面に取り付けられる。(d)は(a)の変形例である。取付軸４１ｂが支柱部材３を貫通し、ボタンピンの取付側とは反対側で取付軸４１ｂを溶接することによって取り付けることができるので、強固に固定することができる。
【００８１】
図１２は、連結すべき支柱部材に設けられるボタンピンの他の例およびその接合状態の例を示す。(a)がボタンピンの正面図と右側面図、(b)が座金の断面図（正面図）と右側面図、(c)が支柱部材の側面の孔にボタンピンが接合された状態の上面図、そして、(d)が支柱部材の側面の孔にボタンピンが接合された状態の接合部の断面図（上面図）である。
【００８２】
図１２(a)に見るとおり、このボタンピン４１は、背面に傾斜部を持たせて円錐台形状にしたボタン部４１ａと、円柱形状の取付軸４１ｂと、外面に雄ネジが切られたネーブルボルト４１ｄからなる。
【００８３】
このネーブルボルト４１ｄを、図１２(b)に示されるネーブル座金５０を介して、支柱部材３の側面に穿たれた孔５２に予め挿入しておいたブラインドナット５１にねじ込み、カシメ加工することによって、図１２(c)および(d)に示されるように、ボタンピン４１が支柱部材３に接合されるのである。
【００８４】
すなわち、この孔５２に、内面に雌ネジが切られたブラインドナット５１を工具の先端のドライブスクリュー（図示せず）に差し込んだ状態で挿入後、カシメ加工することによって、ブラインドナット５１をこの孔５２に固定する。そして、固定されたブラインドナット５１にネーブル座金５０を介してネーブルボルト４１ｄをねじ込むことによって、ボタンピン４１を支柱部材３に接合することができる。したがって、溶接による接合作業に比べて手間を省くことができる。
【００８５】
図１３は、図１２に示されるボタンピンの４個を、連結すべき支柱部材の側面の円周上に接合した状態を示す。(a)が上面図、そして、(b)が断面図（上面図）である。
【００８６】
ボタンピン４１を支柱部材３に接合する手法は、上述したとおりである。ここでは、４方向につなぎ材が連結されるので、支柱部材３の側面の円周上へのボタンピン４１の設置個数は４個となる。しかしながら、ボタンピン４１の設置個数が４個となっても、ブラインドナット５１を用いてネジ接合によってボタンピンを設置するので、設置作業時に他のボタンピンが邪魔になることはない。
【００８７】
図１４は、図１０の方杖付つなぎ材の水平部材の端部を、図１１(a)の支柱部材側面のボタンピンに掛止する手順を示す。ここで、(a)〜(c)は正面図であり、(d)はＡ−Ａ矢視図、そして、(e)はＢ−Ｂ矢視図である。
【００８８】
(a)は側面にボタンピン４１を設けてなる支柱部材３に方杖付つなぎ材の水平部材３１の端部を位置合わせしたところであり、(b)はこのボタンピン４１に水平部材の端部を上方から下方に移動させる途中であり、(c)はこのボタンピン４１に端部板４０の下向きの切り欠き部４０ａを掛止したところを、それぞれ示している（いずれも正面図である。）。そして、(d)は(c)のＡ−Ａ矢視断面図であり、(e)は(d)のＢ−Ｂ矢視図である。
【００８９】
上述したとおり、方杖付つなぎ材の水平部材３１の端部には下向きの開口部３１ａが形成され、さらに水平部材３１の端部の下部に設けられた端部板４０には下向きの切り欠き部４０ａが形成されている。そして、この水平部材３１の端部を上方から下方に移動させることによって、このボタンピン４１に端部板４０の下向きの切り欠き部４０ａを掛止することができる。この切り欠き部４０ａの幅と、ボタンピンのボタン部４１ａおよび取付軸４１ｂの外径は、上述したとおりの関係にあるから、一旦このボタンピン４１に端部板４０の下向きの切り欠き部４０ａを掛止した後には、水平部材３１の端部を上方に持ち上げない限り、支柱部材３への水平部材３１の端部の連結が外れることはないことが分かる。
【００９０】
なお、このボタンピン４１に端部板４０の下向きの切り欠き部４０ａを掛止した後には、端部板４０には下向きの切り欠き部４０ａとボタンピンの取付軸４１ｂの間には遊びがあり、そして、端部板４０とボタンピンのボタン部４１ａとの間にも遊びがあるから、水平部材の端部は、支柱部材の側面に設けられるボタンピンの取付軸４１ｂを回転軸として回転自在となる。
【００９１】
図１５は、図１０の方杖付つなぎ材全体を、支柱部材の側面に連結および緊結する際の手順を(a)〜(d)で示す（右側面図）。ここでは、分かりやすくするために、方杖付つなぎ材の水平部材の端部板４０と、方杖３２の下端に接合されたクサビ金具３０ｂのみを図示している。
【００９２】
(a)は側面の上部にボタンピン４１を、そして下部にコマ４を設けてなる支柱部材３を示す。(b)は支柱部材３の側面のボタンピン４１に水平部材の端部を上方から移動させる途中を示し、(c)はこのボタンピン４１に下向きの切り欠き部４０ａを掛止したところを示し、そして、(d)は支柱部材３の側面のコマ４に、方杖３２の下端に接合されたクサビ金具３０ｂを引っ掛けた後、クサビ３０ａを打ち込んだところを示す。
【００９３】
すなわち、方杖付つなぎ材を支柱部材間に連結する作業は、まず水平部材の端部板４０の切り欠き部４０ａを、それぞれ左右の支柱部材３の側面のボタンピン４１に引っ掛けて掛止した後、この方杖付つなぎ材をボタンピン４１を回転軸として回転して、左右２本の方杖３２の下端部をそれぞれ左右の支柱部材３の側面のコマ４に位置合わせをし、その後、クサビ３０ａをクサビ金具３０ｂに打ち込むことによって緊結するという手順を採用している。
【００９４】
図１６は、図１０に示される方杖付つなぎ材を支柱部材間に取り付ける際のクサビによる緊結作業の例である。
【００９５】
この方杖付つなぎ材３０においては、高所に存在する水平部材３１の両端にはクサビ金具は設けられておらず、水平部材３１を斜め下方から支える２本の方杖の下端にクサビ金具３０ｂがそれぞれ設けられているだけである。方杖の下端は、作業員の手が届きやすい低所に存在するから、作業員はハンマー３６でクサビ３０ａを打ち込む緊結作業を楽に行うことができる。また、クサビ金具３０ｂは２個所に存在するだけであるから、ハンマー３６でクサビ３０ａを打ち込む緊結作業の時間も少なくて済む。また、水平部材３１の両端は掛止手段によって支柱部材３に確固として取り付けられているから、水平部材３１を斜め下方から支える２本の方杖の下端でのクサビによる緊結手段と相まって、この方杖付つなぎ材３０は支柱部材３に強固に連結されていることが分かる。
【００９６】
図１７に、図１０の方杖付つなぎ材３０を支柱部材３の側面に連結した後の状態を示す。なお、図１７(a)は正面図であり、図１７(b)は矢視Ｃ−Ｃ図である。なお、図１７(b)に示されるように、クサビ金具３０ｂに打ち込むためのクサビ３０ａは、束材３４の中程に設けられたクサビ仮受け用孔３４ａに収容することができる。
【００９７】
図１８は、図１０の方杖付つなぎ材３０を組み込んでなる仮設足場の一例（斜視図）である。ここでは、支柱１と方杖付つなぎ材３０から組み立てられる枠形状の垂直面の間に、対向する支柱１の間を連結する部材として、ブレース一体型手摺枠２２を用いて枠組が構築され、そして、対向する方杖付つなぎ材３０の間にそれぞれ２枚の床付き布枠９が水平に架け渡されて足場が形成されている。ここでは、ブレース材一体型手摺枠２２が足場の両側に設けられているが、建物の反対側だけに設置することも可能である。
【００９８】
以上のとおり、方杖付つなぎ材を組み込んでなる仮設足場は、支柱部材間に連結する方杖付つなぎ材として、４個所ともクサビで緊結しなくても、水平部材の両端部の２個所においてはクサビでの緊結に代えて支柱部材への掛止によっても、方杖付つなぎ材を左右の支柱部材に強固に連結することができる。また、この方杖付つなぎ材を支柱部材間に連結する作業が軽減されるとともに容易になる。さらに、従来例に係る方杖付つなぎ材（図６および図７参照）はその水平部材の両端部に設けられたクサビ金具の存在により、つなぎ材の上に架け渡される床付き布枠を支柱部材の側面まで敷き詰めることができなかったが、本発明例では床付き布枠を支柱部材の側面まで敷き詰めることができるので、支柱部材と床付き布枠との間に隙間が発生しにくいという効果がある。
【実施例２】
【００９９】
図１９は、本発明に係る仮設足場で用いる方杖付つなぎ材の他の例である。(a)は正面図である。(b)〜(d)はＡ部の拡大図であり、そのうち、(b)は左側面図、(c)は正面図、そして、(d)は底面図を表す。また、図２０は、この方杖付つなぎ材３０を支柱部材３の側面に連結した後の状態（正面図）を示す。
【０１００】
この長尺の方杖付つなぎ材３０は、水平部材３１を長尺である点でのみ、実施例１の方杖付つなぎ材と異なる。したがって、実施例１に示す方杖付つなぎ材と同様に、支柱部材間に連結する方杖付つなぎ材として、４個所ともクサビで緊結しなくても、水平部材の両端部の２個所においてはクサビでの緊結に代えて支柱部材への掛止によっても、方杖付つなぎ材を左右の支柱部材に強固に連結することができるので、図１８と同様の仮設足場を構築することができる。また、この方杖付つなぎ材を支柱部材間に連結する作業が軽減されるとともに容易になる。さらに、従来例に係る方杖付つなぎ材（図６および図７参照）はその水平部材の両端部に設けられたクサビ金具の存在により、つなぎ材の上に架け渡される床付き布枠を支柱部材の側面まで敷き詰めることができなかったが、本発明例では床付き布枠を支柱部材の側面まで敷き詰めることができるので、支柱部材と床付き布枠との間に隙間が発生しにくいという効果がある点も実施例１と同様である。
【実施例３】
【０１０１】
図２１は、本発明に係る仮設足場で用いる方杖付つなぎ材の他の例である。図２１の(a)は正面図であり、(b)はＡ部の拡大左側面図、そして、(c)は Ａ部の拡大正面図である。
【０１０２】
この方杖付つなぎ材３０は、鋼製やアルミニウム製などの管からなる水平部材３１と、この水平部材３１を斜め下方から支える２本の方杖３２とからなる。水平部材３１の端部のそれぞれには、端部板４０を介してボタンピン４１が接合されており、水平部材３１の端部を支柱部材に掛止することによって、水平部材３１の端部を支柱部材に連結することができる。一方、方杖３２の下端にはクサビ金具３０ｂが溶接等によって接合されて設けられており、このクサビ金具３０ｂを支柱部材の側面に設けられたコマ等の連結金具に引っ掛けた後に、クサビ３０ａを打ち込むことによって、この方杖３２の下端を支柱部材に緊結することができる。ここで、方杖３２の下端に設けるクサビ金具３０ｂは、正面から見てＣ字形状を有しているので、クサビ金具３０ｂが支柱部材の側面に設けられたコマ等の連結金具を上下から挟んで内抱できる。したがって、方杖付つなぎ材３０を支柱部材に一旦連結すれば、方杖付つなぎ材３０が上下方向に移動しようとしても、支柱部材のコマ等の連結金具にぶつかるので、方杖付つなぎ材３０が支柱部材から外れることを防止できる。なお、方杖付つなぎ材３０の変形を防止するために、水平部材３１の左右の端部近傍から、各１本の束材３４が垂直に設置され、それぞれの方杖３２を結ぶことによってそれぞれの方杖３２を上方から支持している。
【０１０３】
ここで、ボタンピン４１は大径のボタン部４１ａと小径の取付軸４１ｂから構成されていて、水平部材３１の端部に接合された端部板４０に対して垂直に取り付けられる。なお、ボタン部４１ａの外径は、連結すべき支柱部材に取り付けられた薄幅のコマの前面壁に設けられた上向きの切り欠き部の幅より大きい。また、取付部４１ｂの外径は、その上向きの切り欠き部の幅より小さい。したがって、水平部材３１の端部を支柱部材に掛止することができるし、掛止後に水平部材３１の端部が支柱部材から外れにくくなる。
【０１０４】
水平部材３１の端部に接合された端部板４０に取り付けられるボタンピンは、図１１および図１２に示したものと同じ形状のものを使用することができる。また、ボタンピンの取り付け方法も、図１１および図１２と同様に溶接やネジによる接合が可能である。接合作業の手間を考えると、ブラインドナットなどのネジによって接合するのが好ましい。
【０１０５】
図２２は、連結すべき支柱部材に設けられる上向きの切り欠き部の一例である。左側に正面図を、そして右側に右側面図を示す。
【０１０６】
この上向きの切り欠き部４２ａは、支柱部材３の側面に薄幅のコマ４２を取り付け、その薄幅のコマ４２の前面壁に切り欠き部を設けたものである。
【０１０７】
図２３は、図２１の方杖付つなぎ材の水平部材の端部を、図２２の支柱部材側面の上向きの切り欠き部に掛止する手順を示す正面図である。
【０１０８】
(a)は側面に上向きの切り欠き部を有する薄幅のコマ４２を設けてなる支柱部材３に方杖付つなぎ材の水平部材３１の端部を位置合わせしたところであり、(b)はこの薄幅のコマ４２に水平部材の端部を上方から下方に移動させる途中であり、(c)はこの薄幅のコマ４２に水平部材３１の端部のボタンピン４１を支柱部材に掛止したところを、それぞれ示している。
【０１０９】
上述したとおり、方杖付つなぎ材の水平部材３１の端部には、端部板４０を介してボタンピン４１が接合されている。そして、この水平部材３１の端部を上方から下方に移動させることによって、支柱部材３の側面に設けられた上向きの切り欠き部４２ａに、水平部材３１の端部のボタンピン４１を掛止することができる。この切り欠き部４２ａの幅と、ボタンピンのボタン部４１ａおよび取付軸４１ｂの外径は、上述したとおりの関係にあるから、一旦この上向きの切り欠き部４２ａにボタンピン４１を掛止した後には、水平部材３１の端部を上方に持ち上げない限り、支柱部材３への水平部材３１の端部の連結が外れることはないことが分かる。
【０１１０】
なお、この上向きの切り欠き部４２ａにボタンピン４１を掛止した後には、切り欠き部４２ａとボタンピンの取付軸４１ｂの間には遊びがあり、そして、端部板４０と薄幅のコマ４２の前面壁との間にも遊びがあるから、水平部材の端部は支柱部材の側面に設けられる上向きの切欠き部を回転軸として回転自在となる。
【０１１１】
なお、この方杖付つなぎ材全体を支柱部材の側面に連結および緊結する際の手順は、図１５に示したものと同じである。
【０１１２】
すなわち、方杖付つなぎ材を支柱部材間に連結する作業は、まず水平部材の端部のボタンピン４１を、それぞれ左右の支柱部材３の側面の上向きの切り欠き部４２ａに引っ掛けて掛止した後、この方杖付つなぎ材をこの上向きの切り欠き部４２ａを回転軸として回転して、左右２本の方杖３２の下端部をそれぞれ左右の支柱部材３の側面のコマ４に位置合わせをし、その後、クサビ３０ａをクサビ金具３０ｂに打ち込むことによって緊結するという手順を採用している。
【０１１３】
この結果、図１６および図１７と同様に、方杖付つなぎ材３０を支柱部材３の側面に連結することができる。
【０１１４】
このように、支柱部材間に連結する方杖付つなぎ材として、４個所ともクサビで緊結しなくても、水平部材の両端部の２個所においてはクサビでの緊結に代えて支柱部材への掛止によっても、方杖付つなぎ材を左右の支柱部材に強固に連結することができるので、図１８と同様の仮設足場を構築することができる。また、この方杖付つなぎ材を支柱部材間に連結する作業が軽減されるとともに容易になる。さらに、従来例に係る方杖付つなぎ材（図６および図７参照）はその水平部材の両端部に設けられたクサビ金具の存在により、つなぎ材の上に架け渡される床付き布枠を支柱部材の側面まで敷き詰めることができなかったが、本発明例では床付き布枠を支柱部材の側面まで敷き詰めることができるので、支柱部材と床付き布枠との間に隙間が発生しにくいという効果がある。
【実施例４】
【０１１５】
図２４は、本発明に係る仮設足場で用いる方杖付つなぎ材の他の例である。図２４の(a)は正面図であり、(b)はＡ部の拡大左側面図、そして、(c)は Ａ部の拡大正面図である。
【０１１６】
この方杖付つなぎ材３０は、鋼製やアルミニウム製などの管からなる水平部材３１と、この水平部材３１を斜め下方から支える２本の方杖３２とからなる。水平部材３１の端部のそれぞれには、端部板４０が接合されており、水平部材３１の端部を支柱部材に掛止することによって、水平部材３１の端部を支柱部材に連結することができる。一方、方杖３２の下端にはクサビ金具３０ｂが溶接等によって接合されて設けられており、このクサビ金具３０ｂを支柱部材の側面に設けられたコマ等の連結金具に引っ掛けた後に、クサビ３０ａを打ち込むことによって、この方杖３２の下端を支柱部材に緊結することができる。ここで、方杖３２の下端に設けるクサビ金具３０ｂは、正面から見てＣ字形状を有しているので、クサビ金具３０ｂが支柱部材の側面に設けられたコマ等の連結金具を上下から挟んで内抱できる。したがって、方杖付つなぎ材３０を支柱部材に一旦連結すれば、方杖付つなぎ材３０が上下方向に移動しようとしても、支柱部材のコマ等の連結金具にぶつかるので、方杖付つなぎ材３０が支柱部材から外れることを防止できる。なお、方杖付つなぎ材３０の変形を防止するために、水平部材３１の左右の端部近傍から、各１本の束材３４が垂直に設置され、それぞれの方杖３２を結ぶことによってそれぞれの方杖３２を上方から支持している。
【０１１７】
ここで、水平部材３１の端部に接合された端部板４０の外径は、連結すべき支柱部材に取り付けられた薄幅のコマの前面壁に設けられた上向きの切り欠き部の幅より大きい。また、水平部材３１の外径は、その上向きの切り欠き部の幅より小さい。したがって、水平部材３１の端部を支柱部材に掛止することができるし、掛止後に水平部材３１の端部が支柱部材から外れにくくなる。
【０１１８】
図２５は、連結すべき支柱部材に設けられる上向きの切り欠き部の一例である。左側に正面図を、そして右側に右側面図を示す。
【０１１９】
この上向きの切り欠き部４２ａは、支柱部材３の側面に薄幅のコマ４２を取り付け、その薄幅のコマ４２の前面壁に上向きの切り欠き部を設けたものである。
【０１２０】
図２６は、図２４の方杖付つなぎ材の水平部材の端部を、図２５の支柱部材側面の上向きの切り欠き部に掛止する手順を示す正面図である。
【０１２１】
(a)は側面に上向きの切り欠き部を有する薄幅のコマ４２を設けてなる支柱部材３に方杖付つなぎ材の水平部材３１の端部を位置合わせしたところであり、(b)はこの薄幅のコマ４２に水平部材の端部を上方から下方に移動させる途中であり、(c)はこの薄幅のコマ４２に水平部材３１の端部の端部板４０を支柱部材に掛止したところを、それぞれ示している。
【０１２２】
上述したとおり、方杖付つなぎ材の水平部材３１の端部には、端部板４０が接合されている。そして、この水平部材３１の端部を上方から下方に移動させることによって、支柱部材３の側面に設けられた上向きの切り欠き部４２ａに、水平部材３１の端部の端部板４０を掛止することができる。この切り欠き部４２ａの幅と、端部板４０および水平部材３１の外径は、上述したとおりの関係にあるから、一旦この上向きの切り欠き部４２ａに端部板４０を掛止した後には、水平部材３１の端部を上方に持ち上げない限り、支柱部材３への水平部材３１の端部の連結が外れることはないことが分かる。
【０１２３】
なお、この上向きの切り欠き部４２ａに端部板４０を掛止した後には、切り欠き部４２ａと水平部材３１の端部の外周の間には遊びがあり、そして、端部板４０と薄幅のコマ４２の前面壁との間にも遊びがあるから、水平部材の端部は支柱部材の側面に設けられる上向きの切欠き部を回転軸として回転自在となる。
【０１２４】
なお、この方杖付つなぎ材全体を支柱部材の側面に連結および緊結する際の手順は、図１５に示したものと同じである。
【０１２５】
すなわち、方杖付つなぎ材を支柱部材間に連結する作業は、まず水平部材の端部の端部板４０を、それぞれ左右の支柱部材３の側面の上向きの切り欠き部４２ａに引っ掛けて掛止した後、この方杖付つなぎ材をこの上向きの切り欠き部４２ａを回転軸として回転して、左右２本の方杖３２の下端部をそれぞれ左右の支柱部材３の側面のコマ４に位置合わせをし、その後、クサビ３０ａをクサビ金具３０ｂに打ち込むことによって緊結するという手順を採用している。
【０１２６】
この結果、図１６および図１７と同様に、方杖付つなぎ材３０を支柱部材３の側面に連結することができる。
【０１２７】
このように、支柱部材間に連結する方杖付つなぎ材として、４個所ともクサビで緊結しなくても、水平部材の両端部の２個所においてはクサビでの緊結に代えて支柱部材への掛止によっても、方杖付つなぎ材を左右の支柱部材に強固に連結することができるので、図１８と同様の仮設足場を構築することができる。また、この方杖付つなぎ材を支柱部材間に連結する作業が軽減されるとともに容易になる。さらに、従来例に係る方杖付つなぎ材（図６および図７参照）はその水平部材の両端部に設けられたクサビ金具の存在により、つなぎ材の上に架け渡される床付き布枠を支柱部材の側面まで敷き詰めることができなかったが、本発明例では床付き布枠を支柱部材の側面まで敷き詰めることができるので、支柱部材と床付き布枠との間に隙間が発生しにくいという効果がある。
【実施例５】
【０１２８】
図２７は、本発明に係る仮設足場で用いる、先行手摺枠一体型方杖付つなぎ材の一例である。(a)は足場内から見た正面図であり、(b)はＡ部の拡大図である。そして、(c)は(b)の左側面図、(d)は(b)の底面図を表す。
【０１２９】
そして、図２８は、図２７の先行手摺枠一体型方杖付つなぎ材を足場の妻面に組み込んでなる仮設足場の一例である。(a)は平面図、(b)はＡ−Ａ矢視正面図、(c)はＢ−Ｂ矢視左側面図、そして、(d)は図２８のＣ−Ｃ矢視背面図を表す。
【０１３０】
この先行手摺枠一体型方杖付つなぎ材６５は、先行手摺枠６１とこれに接合してなる方杖付つなぎ材３０からなる。方杖付つなぎ材３０は、鋼製やアルミニウム製などの管からなる水平部材３１と、この水平部材３１を斜め下方から支える２本の方杖３２からなり、一方、先行手摺枠６１は上桟６１ａと左右の横桟６１ｂと左右の横桟６１ｂを連結する中桟６１ｃとからなり、この先行手摺枠６１の左右の横桟６１ｂの下端は水平部材３１の両端部近傍の向こう側の側面に溶接等で接合されている。
【０１３１】
また、この先行手摺枠６１はその水平部材３１の軸回りに回転させることができるが、その回転角度を１８０度で止めるために、先行手摺枠６１の左右の横桟６１ｂの上部近傍には、それぞれ当て材６３が取り付けられている。そして、水平部材３１の端部のそれぞれには、下向きの切り欠き部４０ａを有する端部板４０が溶接等で接合されるとともに、水平部材３１の端部の下部には開口部３１ａが設けられており、水平部材３１の端部を支柱部材に掛止することによって、水平部材３１の端部を支柱部材に連結することができる。
【０１３２】
そして、方杖３２の下端にはクサビ金具３０ｂが溶接等によって接合されて設けられており、このクサビ金具３０ｂを支柱部材の側面に設けられたコマ等の連結金具に引っ掛けた後に、クサビ３０ａを打ち込むことによって、この方杖３２の下端を支柱部材に緊結することができる。ここで、方杖３２の下端に設けるクサビ金具３０ｂは、正面から見てＣ字形状を有しているので、クサビ金具３０ｂが支柱部材の側面に設けられたコマ等の連結金具を上下から挟んで内抱できる。したがって、先行手摺枠６１を接合してなる方杖付つなぎ材３０を支柱部材に一旦連結すれば、先行手摺枠６１を接合してなる方杖付つなぎ材３０が上下方向に移動しようとしても、支柱部材のコマ等の連結金具にぶつかるので、先行手摺枠６１を接合してなる方杖付つなぎ材３０が支柱部材から外れることを防止できる。なお、先行手摺枠６１を接合してなる方杖付つなぎ材３０の変形を防止するために、水平部材３１の左右の端部近傍から、各１本の束材３４が垂直に設置され、それぞれの方杖３２を結ぶことによってそれぞれの方杖３２を上方から支持している。また、クサビ金具３０ｂに打ち込むためのクサビ３０ａは、束材３４の中程に設けられたクサビ仮受け用孔（図示せず）に収容することができる。
【０１３３】
ここで、水平部材３１の端部に接合された端部板４０に設けられた下向きの切り欠き部４０ａの幅は、連結すべき支柱部材に設けられたボタンピンのボタン部の外径より小さくかつ取付軸の外径より大きい。これに対して、水平部材３１の端部の下部に設けられた開口部３１ａの幅は、連結すべき支柱部材に設けられたボタンピンのボタン部の外径よりも大きくかつ取付軸の外径より大きい。したがって、水平部材３１の端部を支柱部材に掛止することができるし、掛止後に水平部材３１の端部が支柱部材から外れにくくなる。
【０１３４】
また、水平部材３１は軸回りに回転させることができるから、水平部材３１の端部を支柱部材に掛止する際には、位置合わせが容易になる。そして、このような掛止構造とすれば、水平部材３１の両端部を掛止した後、左右の方杖の下端部をクサビ打ちすることで、水平部材３１によって支柱部材間を強固に連結することができる。また、クサビ緊結のためのクサビ金具は左右の方杖の下端部の２個所だけへと半減することができる上に、水平部材３１の両端の左右２個所での高所でのクサビ打ち作業は不要となる。したがって、クサビによる緊結作業を容易にするとともに軽減することができる。
【０１３５】
この先行手摺枠を接合してなる方杖付つなぎ材は、建物のコーナー部に当たる場所に設置される足場に形成される妻面からの作業員の転落防止のために、妻面上の支柱部材の間に設置することができる。この先行手摺枠を接合してなる方杖付つなぎ材は、先行して取り付けることができるので、床付き布枠が水平に架け渡されて作業床や作業員の通路として利用されるときには、その足場の妻面には手摺部材がすでに設置されている状態にすることができる。
【産業上の利用可能性】
【０１３６】
本発明によれば、支柱部材との連結作業を容易にするとともに軽減することができ、かつ、支柱部材に対して強固に連結することができるつなぎ材を組み込んでなる仮設足場を提供する。
【符号の説明】
【０１３７】
１  支柱
２  つなぎ材
２ａ  水平部材の端部のクサビ
２ｂ  水平部材の端部のクサビ金具
３  支柱部材
４  コマ
５  ジャッキベース
６  大引受ジャッキ
７  大引材
８  根太材
９  床付き布枠
１４  建物
２０  手摺部材
２１  ブレース材
２２  ブレース一体型手摺枠
３０  方杖付つなぎ材
３０ａ  方杖の下端部のクサビ
３０ｂ  方杖の下端部のクサビ金具
３１  水平部材
３１ａ  水平部材の端部の下部の開口部
３２  方杖
３３  縦型プレート
３４  束材
３４ａ  クサビ仮受け用孔
３６  ハンマー
４０  端部板
４０ａ  端部板の下向きの切り欠き部
４１  ボタンピン
４１ａ  ボタン部
４１ｂ  取付軸
４１ｃ  固定部材
４１ｄ  ネーブルボルト
４２  薄幅のコマ
４２ａ  薄幅のコマの上向きの切り欠き部
５０  ネーブル座金
５１  ブラインドナット
５２  孔
６１  先行手摺枠
６１ａ  上桟
６１ｂ  横桟
６１ｃ  中桟
６３  当て材
６５  先行手摺枠一体型方杖付つなぎ材
１００  システム支保工
１０１  コンクリート構造物（スラブ）
１０２  型枠
【図１】
0005809955.tif 000002
【図２】
0005809955.tif 000003
【図３】
0005809955.tif 000004
【図４】
0005809955.tif 000005
【図５】
0005809955.tif 000006
【図６】
0005809955.tif 000007
【図７】
0005809955.tif 000008
【図８】
0005809955.tif 000009
【図９】
0005809955.tif 000010
【図１０】
0005809955.tif 000011
【図１１】
0005809955.tif 000012
【図１２】
0005809955.tif 000013
【図１３】
0005809955.tif 000014
【図１４】
0005809955.tif 000015
【図１５】
0005809955.tif 000016
【図１６】
0005809955.tif 000017
【図１７】
0005809955.tif 000018
【図１８】
0005809955.tif 000019
【図１９】
0005809955.tif 000020
【図２０】
0005809955.tif 000021
【図２１】
0005809955.tif 000022
【図２２】
0005809955.tif 000023
【図２３】
0005809955.tif 000024
【図２４】
0005809955.tif 000025
【図２５】
0005809955.tif 000026
【図２６】
0005809955.tif 000027
【図２７】
0005809955.tif 000028
【図２８】
0005809955.tif 000029